(57)【要約】      （修正有）【課題】乾電池を電源とする機器における乾電池の廃棄費用を減額し得る電池式給電器を提供する。【解決手段】乾電池を電源とする機器に給電する電池式給電器において、所定形状の空間を有する電池ケース１００と、絶縁層を介して重ね合わされた内外２重の電極層として構成され、内側電極層は内部に収容される前記代替電池の正極に接触し、外側電極層は外部接続用の正極端子となるように構成される前記電池ケースのプラス極端子Ｐと、外部接続用の負極端子、および前記代替電池の負極が当接して前記負極端子に接続する可動部材を有する前記電池ケースのマイナス極端子Ｎと、前記マイナス極端子を共通端子とし、前記プラス極端子を入力端子、前記外部接続用の正極端子を出力端子とし、前記電池ケース内に収容された間欠給電回路ＩＭとをそなえた電池式給電器。【選択図】図１
0003131074.tif 000002
【実用新案登録請求の範囲】
【請求項１】
乾電池を電源とする機器に給電する電池式給電器において、
前記機器用の規格乾電池と同等の外形形状を有するとともに、内部に前記規格乾電池よりも外形形状が小型な代替電池を保持する所定形状の空間を有する電池ケースと、
絶縁層を介して重ね合わされた内外２重の電極層として構成され、内側電極層は内部に収容される前記代替電池の正極に接触し、外側電極層は外部接続用の正極端子となるように構成される前記電池ケースのプラス極端子と、
外部接続用の負極端子、および前記代替電池の負極が当接して前記負極端子に接続する可動部材を有する前記電池ケースのマイナス極端子と、
前記マイナス極端子を共通端子とし、前記プラス極端子を入力端子、前記外部接続用の正極端子を出力端子とし、前記電池ケース内に収容された間欠給電回路と
をそなえた電池式給電器。
【請求項２】
請求項１記載の電池式給電器において、
前記電池ケースは、開閉可能な構造であることを特徴とする電池式給電器。
【請求項３】
請求項２記載の電池式給電器において、
前記電池ケースは、横断方向に分割可能である電池式給電器。
【請求項４】
請求項２記載の電池式給電器において、
前記電池ケースは、縦断方向に分割可能である電池式給電器。
【請求項５】
請求項１記載の電池式給電器において、
前記正極端子は、前記電池ケースに内側から挿入されて嵌合し、前記外部接続用正極端子が露出する形状であることを特徴とする電池式給電器。
【請求項６】
請求項５記載の電池式給電器において、
前記正極端子は、外側から押圧すると内側に外れる構造であることを特徴とする電池式給電器。
【考案の詳細な説明】
【技術分野】
【０００１】
本考案は、乾電池を電源として作動する機器に間欠給電する電池式給電器に係わり、とくに使用する電池を小型軽量化し得る給電器に関する。
【背景技術】
【０００２】
例えば、芳香器として知られる機器は、揮発性の芳香剤と小型ファンとを組み合わせた装置構成となっており、室内に設置されて芳香を含んだ微風を送り出している。そのために、機器には、小型ファンと、電源である電池としての、通常は単一型の乾電池とを使用し、これらを機器ケース内に組み込む例が多い。
【０００３】
そして、芳香器からは、芳香を含んだ微風が常時送り出されており、所定空間が芳香で満たされることになる。ここで、芳香器に用いられる電池は、芳香剤の補充とともに1ヶ月程度の周期で交換され、常に稼動状態を保つようにメンテナンスがなされている。
【特許文献１】特開2002-063879号公報
【考案の開示】
【考案が解決しようとする課題】
【０００４】
この結果、芳香剤の交換の度に、芳香剤および単一型マンガン乾電池の廃棄物が発生し、その処理費用が相当な額になる。とくに単一型乾電池は重量があるため、廃棄費用が嵩み、何らかの対策が求められている。
【０００５】
この電池の小型化のためには、芳香器に、特許文献１に示すような電池ケースを用いて単一マンガン乾電池の替わりに単三アルカリ乾電池を使用することも考えられる。
【０００６】
しかしながら、マンガン乾電池に比べて長寿命のアルカリ乾電池ではあっても、単三型では寿命が十分ではない。
【０００７】
本考案は上述の点を考慮してなされたもので、乾電池を電源とする機器における乾電池の廃棄費用を減額し得る電池式給電器を提供することを目的とする。
【課題を解決するための手段】
【０００８】
上記目的達成のため、本考案では、
乾電池を電源とする機器に給電する電池式給電器において、
前記機器用の規格乾電池と同等の外形形状を有するとともに、内部に前記規格乾電池よりも外形形状が小型な代替電池を保持する所定形状の空間を有する電池ケースと、
絶縁層を介して重ね合わされた内外２重の電極層として構成され、内側電極層は内部に収容される前記代替電池の正極に接触し、外側電極層は外部接続用の正極端子となるように構成される前記電池ケースのプラス極端子と、
外部接続用の負極端子、および前記代替電池の負極が当接して前記負極端子に接続する可動部材を有する前記電池ケースのマイナス極端子と、
前記マイナス極端子を共通端子とし、前記プラス極端子を入力端子、前記外部接続用の正極端子を出力端子とし、前記電池ケース内に収容された間欠給電回路と
をそなえた電池式給電器、
を提供するものである。
【考案の効果】
【０００９】
本考案は上述のように、間欠給電回路が組み込まれた電池式給電器を構成したため、小型電池を用いて規格乾電池を用いた場合と同様の電池寿命を持たせ、電池の廃棄費用の大幅低減が可能な給電器を提供することができる。
【考案を実施するための最良の形態】
【００１０】
以下、添付図面を参照して本考案の実施形態を説明する。  
【実施形態１】
【００１１】
図１は、本考案に係る装置の原理的構成を示す説明図である。この装置構成は、芳香器における小型ファンを駆動するためのモータＭに、単三型乾電池から間欠給電回路ＩＭを介して給電し、電池の消耗を減らすとともに小型電池で長期間給電し得るように構成するものである。
【００１２】
そのために、単一型乾電池の外形形状と同一の寸法、形状を有し、内部に単三型乾電池を収容する電池ケース１００を用意し、この電池ケース１００内に間欠給電回路ＩＭを組み込むようにしている。そして、この電池ケース１００は、プラス極Ｐおよびマイナス極Ｎを有し、これら両極Ｐ，Ｎが単一型乾電池の電極と同一の構成となっている。
【００１３】
したがって、電池ケース１００に単三アルカリ乾電池（破線図示）を収容して、例えば芳香器に装着すれば、間欠給電回路の設定周期で間欠的に小型ファンに対し給電する。この周期は、芳香器であれば、例えば数秒間隔程度が適当であり、数秒給電して数秒休止するようにすればよい。他の機器であれば、より短周期または長周期としてもよい。
【００１４】
間欠給電回路ＩＭは、電池ケース１００内の電池を取り巻く空きスペースに適宜収容される。
【００１５】
図２は、電池ケース１００に組み付けられる要素としての、プラス極Ｐおよびマイナス極Ｎの構造、および間欠給電回路ＩＭとの接続関係を示したものである。
【００１６】
プラス極Ｐは、想像線で示した単三型乾電池の正極に接する接続部材Ｐａと外部接続用端子Ｐｂとが絶縁層を介して３層構造となっている。また、マイナス極Ｎは、単三型乾電池の負極が当接する弾性構造の接続部材Ｎａと外部接続用端子Ｎｂとが一体的に構成されている。
【００１７】
図３は、図２に示したプラス極Ｐおよびマイナス極Ｎが電池ケース１００に装着された状態を示している。プラス極Ｐは、外部接続用端子Ｐｂが電池ケース１００に開けられた穴に嵌合し、かつその端部が外部に露出している。プラス極Ｐは電池ケース１００に嵌合しているが、外部接続用端子Ｐｂを内方に押し込むことにより、電池ケース１００から外れるようにしており、取り扱いがし易くなっている。
【００１８】
マイナス極Ｎは、電池と当接する接続部材Ｎａが内側に配され、外部接続用端子Ｎｂが外部に露出するように電池ケース１００に組み付けられる。
【００１９】
図４は、電池ケース１００の一構造例を示したものである。この場合、電池ケース１００は、単一型乾電池と同形、同寸法の蓋付き円筒状であり、内部に単三型乾電池を収容する構造となっている。
【００２０】
すなわち、本体１０１には、単三型乾電池を浮かせた状態で保持するように、電池保持用突部１０１ａが２箇所に設けられ、図示下方の端面に設けられたマイナス極Ｎが単三型乾電池のマイナス極と接触しており、その近傍に間欠給電回路ＩＭが収容されている。そして、本体１０１の図示上方外周には、ネジ１０１ｂが切られて蓋１０２の図示下端内周に設けられたネジ１０２ｂと係合する。このネジ構造は、差込式構造に換えてもよい。
【００２１】
一方、蓋１０２は、図示上方の端面にプラス極Ｐ用の穴１０２ａが形成され、プラス極Ｐの外部接続用端子Ｐｂが外部に露出し、内部では接続部材Ｐａが単三型乾電池のプラス極と接触している。そして、接続部材Ｐａおよび外部接続用端子Ｐｂは、接続線１０３により間欠給電回路ＩＭに接続されている。このため、蓋１０２を外す際は、プラス極Ｐを押し込んで蓋１０２から外しておけば、蓋１０２を本体１０１から切り離すことができる。
【００２２】
この構成により、既存の芳香器における電池収納部に、単一型乾電池の替わりに本考案の給電器を差し込めば、そのまま芳香器を作動させることができる。ただし、微風の送出は連続ではなく間欠的に行われ、単三型乾電池であっても給電を間欠的に行うため、長期間にわたって給電することができる。
【００２３】
この結果、単一型乾電池を単三型乾電池に換えた場合、使用済みの電池本数を廃棄する際に必要な経費はほぼ１／４未満に減少し、さらにそもそも単三型乾電池は電池代が単一型乾電池に比べて単価が低廉である。したがって、電池式給電器の購入のための初期費用が必要であることを勘案しても、１年強程度を超えた時点で経費節減効果が得られ、以後大幅な節減ができる。
【実施形態２】
【００２４】
上記実施例では、円筒形状の例を示したが、適当な縦断面で切断された構造の電池ケースとしてもよい。または、端面が開閉する構造の電池ケースとしてもよい。
【図面の簡単な説明】
【００２５】
【図１】本考案の一実施形態の概略構成を示す説明図。
【図２】図２は、電池ケース１００に組み付けられる要素としての、プラス極Ｐおよびマイナス極Ｎの構造、および間欠給電回路ＩＭとの接続関係を示した説明図。
【図３】図３は、図２に示したプラス極Ｐおよびマイナス極Ｎが電池ケース１００に装着された状態を示す要部説明図。
【図４】図４は、電池ケース１００の一構造例を示した斜視図。
【符号の説明】
【００２６】
１００  電池ケース、１０１  本体、１０１ａ  電池保持用突部、
１０１ｂ  ネジ、１０２  蓋、１０２ａ  穴、１０３  接続線、
１０２ｂ  ネジ、Ｐ  プラス極、Ｐａ  接続部材、Ｐｂ  外部接続用端子、
Ｎ  マイナス極、Ｎａ  接続部材、Ｎｂ  外部接続用端子、
ＩＭ  間欠給電回路。
【図１】
0003131074.tif 000003
【図２】
0003131074.tif 000004
【図３】
0003131074.tif 000005
【図４】
0003131074.tif 000006